(57)【要約】【課題】生産性に優れ、しかも許容電流が大きく、信頼性に優れた端子構成を持つ発熱体を提供する。【解決手段】電極３に導電性樹脂材料５ｂを配設した半田接合が可能な端子部材５を接着し、電気絶縁性基材２と接着される電気絶縁性被覆材９からなる面状発熱体において、電気絶縁性被覆材９は端子部材５にリード線８を半田接合する部位に開口部７を有し、開口部７は端子部材５の端部よりも内方となる大きさおよび形状であり、かつ端子部材５の中央から偏心してなる。【選択図】図２
2008103234.tif 000002
【特許請求の範囲】
【請求項１】
電気絶縁性基材上に、電極および前記電極により電圧を印加して発熱する高分子抵抗体を形成し、前記電極には電極に接合される面の端子部材に導電性樹脂材料を配設した半田接合が可能な端子部材を接着し、これら高分子抵抗体、電極、端子部材を覆い、前記電気絶縁性基材と接着される電気絶縁性被覆材からなる面状発熱体において、前記電気絶縁性被覆材は前記端子部材にリード線を半田接合する部位に開口部を有し、前記開口部は前記端子部材の端部よりも内方となる大きさおよび形状であり、かつ前記端子部材の中央から偏心して位置する面状発熱体。
【請求項２】
開口部は、端子部材が電気絶縁性被覆材に望む面の２分の１を超えない大きさである請求項１に記載の面状発熱体。
【請求項３】
開口部は、端子部材の電気絶縁性被覆材に望む面の中心に掛からない位置とした請求項２に記載の面状発熱体。
【請求項４】
開口部の形状は、円形もしくは楕円形である請求項１〜３のいずれか1項に記載の面状発熱体。
【請求項５】
電極に接合される面の端子部材に導電性樹脂材料と粘着性材料が併置されてなる請求項1〜４のいずれか１項に記載の発熱体。
【請求項６】
電極に接合される面の端子部材に導電性樹脂材料が配設され、開口部の直下近傍には粘着性材料が開口部を有さない箇所よりも多く配設されてなる請求項1〜５のいずれか１項に記載の発熱体。
【発明の詳細な説明】
【技術分野】
【０００１】
本発明は、面状発熱体の、特に半田接合するための端子部材近傍の構成に関するものである。
【背景技術】
【０００２】
従来の面状発熱体において、電極の端子部材にリード線を接合する態様としては、電極、抵抗体、及びリード線接続を行う面に半田をあらかじめ形成してなる端子部材を含む面状発熱体全体を外装材で覆った後に外装材を熱溶融させて開口部を形成すると同時に、電極と端子部材とリード線とを同時に接合するものがあった（例えば特許文献１、２参照）。
【０００３】
図８は前記公報に記載された従来の面状発熱体を示すものである。図８に示すように、ポリエチレンテレフタレートフィルム１上に一対の電極２を配設し、正抵抗温度特性を有する抵抗体３を電極２上に配設してある。電極２の給電部分には端子部材４が形成されており、これらの電極２及び抵抗体４が形成された基板１の全体は、ポリエチレンテレフタレートフィルムに熱溶融性樹脂フィルムを積層した外装材６によって被覆されている。そして、端子部材４には半田による熱溶融性の接合金属７が、リード線には半田による熱溶融性の結合金属８がそれぞれ形成され、外装材６を貫通する穴に接合金属７と結合金属８の溶融相とが充填され、端子部材４とリード線９とを電気的及び物理的に接続した構成としてある。
【特許文献１】特開２００５−１４９８７７号公報
【特許文献２】特開２００５−３０２３０１号公報
【発明の開示】
【発明が解決しようとする課題】
【０００４】
しかしながら前記従来の面状発熱体では、端子部材を覆っている外装材を熱により除去して開口を確保し、リード線と端子部材とを接合するため、除去時の熱やリード線の半田接合等を行った際の熱により、電極と端子部材との接着状態にばらつきが生じやすくなるため、高度な品質管理を要していた。
【０００５】
また、例えば面状発熱体をロール状に形成する製造方法をとった場合、あらかじめ端子部材の上に半田層を形成されているため、端子部材が厚くなりやすくロール状に巻き取ることが難しいという課題があった。
【０００６】
本発明は、前記従来の課題を解決するものであり、端子部材に熱がかかり、電極と端子部材との接着状態が悪くなる場合があっても、電極と端子部材とが剥離することがない面状発熱体を提供することを目的とするものである。
【課題を解決するための手段】
【０００７】
前記従来の課題を解決するために本発明の面状発熱体は、高分子抵抗体、電極、端子部材を覆い、電気絶縁性基材と接着される電気絶縁性被覆材において、端子部材に予め配設された導電性樹脂材料は前記電極と接合され、端子部材にリード線を半田接合する部位に開口部を有し、開口部は端子部材の端部よりも内方となる大きさおよび形状であり、かつ前記端子部材の中央から偏心して位置させたものである。
【０００８】
そして、端子部材の端部よりも内方となる大きさおよび形状でありかつ、端子部材の中央から偏心した位置の開口部を通してリード線を半田接合することにより、開口部より外
側に半田がぬれることが無いため、開口部から遠い側の端部では前記電極と前記端子部材との間の接着状態が確保されやすく、また、端子部材の周囲である端部は電気絶縁性被覆材に面状に覆われているため、前記端子部材が前記電極から剥離することが防止される。
【発明の効果】
【０００９】
本発明の面状発熱体によれば、電極と端子部材との接着状態が良好に確保され、端子部材の剥離を防ぎ、安定した給電状態を提供することができる。
【発明を実施するための最良の形態】
【００１０】
第１の発明は、電気絶縁性基材上に、電極および前記電極により電圧を印加して発熱する高分子抵抗体を形成し、前記電極には半田接合が可能な端子部材を接着し、これら高分子抵抗体、電極、端子部材を覆い、前記電気絶縁性基材と接着される電気絶縁性被覆材からなる面状発熱体において、前記電気絶縁性被覆材は前記端子部材にリード線を半田接合する部位に開口部を有し、前記開口部は前記端子部材の端部よりも内方となる大きさおよび形状であり、かつ前記端子部材の中央から偏心して位置したものである。これにより、前記端子部材の端部よりも内方となる大きさおよび形状でありかつ、前記端子部材の中央から偏心した位置の前記開口部を介して前記リード線を半田接合することにより、前記開口部より外側に半田がぬれることが無いため、前記開口部から遠い側の端部は接着状態が確保されやすく、また、端子部材の周囲である端部は電気絶縁性被覆材に覆われているため、前記端子部材が前記電極から剥離することを防止することができる。
【００１１】
第２の発明は、開口部は、端子部材が電気絶縁性被覆材に望む面の２分の１を超えない大きさとしたものである。これにより、開口部より外側に半田がぬれることが無いことから、半田接合の熱影響を受ける面積を小さくすることができ、接着状態を確保している面積を第１の発明よりも増やすことができる。
【００１２】
第３の発明は、開口部は、端子部材の中心に掛からない位置としたものである。これにより、半田接合位置が中心からずれているため、端子部材の中心部以遠の接着状態を確保することができる。
【００１３】
第４の発明は、開口部の形状は、円形もしくは楕円形としたものである。これにより、開口部に角が無いことから矩形形状の場合に比べて、端子部材が剥離方向等の引張り応力を受けた場合であっても、端子部の一箇所に応力が集中することが少なく開口部に亀裂、破断することを防ぐことができる。
【００１４】
第５の発明は、端子部材の電極に接合される面に導電性樹脂材料と粘着性材料が併置したものである。導電性樹脂材料は電極との電気的接続とともに強固な物理的接続を担うものであり、粘着性材料はその粘着力によって外装材により端子部材を完全に固定するまでの仮固定を行う機能を持つ。端子部材の仮固定が行えることにより、端子部材を外装材により覆い物理的に固定するまでの間、端子部材を電極の所定の場所に固定することを容易に可能にする。
【００１５】
第６の発明は、電極に接合される面の端子部材に導電性樹脂材料が配設され、開口部の直下近傍には粘着性材料が開口部を有さない箇所よりも多く配設したものである。粘着性材料はその粘着力によって外装材により端子部材を完全に固定するまでの仮固定を行う機能を持つが、熱溶着、熱硬化後の導電性樹脂材料と電極との間の接合強度と比較して接着強度は弱い。そのため、開口部直下には多く粘着材を配設し、開口部直下以外の箇所には粘着性材料を開口部直下よりも少なく配設することで、仮固定を行うことが出来つつ、端子部材と電極の間の接着強度を高めることができる構成となる。
【００１６】
（実施の形態１）
図１〜図２は、本発明の実施の形態１における面状発熱体の概略構成図を示し、特に図１は平面図、図２は図１における端子部近傍のＸ−Ｙ断面図である。
【００１７】
図１において、面状発熱体１は、ポリエチレンテレフタレート等の比較的弾力性のある電気絶縁性基材２上に銀ペーストの印刷・乾燥により形成した一対の電極３と、電極３に重なるように高分子抵抗体インクを印刷・乾燥により形成した高分子抵抗体４を形成している。そして、上記電極３、高分子抵抗体４、及び電気絶縁性基材２と接着性を有する共重合ポリエステル系接着剤等の接着性樹脂層１０を予め形成されたポリエチレンテレフタレート等の薄肉の電気絶縁性オーバコート材をラミネートした電気絶縁性被覆材９を貼り合わせて形成される。
【００１８】
上記電極３は、対向するように幅が広い主電極３ａ、３ｂを配設し、それぞれの主電極３ａ、３ｂから交互に櫛形形状の複数の枝電極３ｃ、３ｄを設けてあり、これに重なるように配設した高分子抵抗体４に枝電極３ｃ、３ｄより給電することで、高分子抵抗体４に電流が流れ、発熱するようになる。この高分子抵抗体４はＰＴＣ特性を有し、温度が上昇すると高分子抵抗体４の抵抗値が上昇し、所定の温度になるように自己温度調節機能を有するようになり、温度コントロールが不要で安全性の高い面状発熱体１としての機能を有するようになる。この種のＰＴＣ特性を持つ面状発熱体１は一般に、速熱性を得るために大きな突入電流を必要とするため、給電部である端子部材５には大きな電流が流れることとなる。
【００１９】
この端子部材５の電極３の給電部分に接する面には導電性樹脂材料５ｂを形成してあり、導電性樹脂材料５ｂは電極３に対して熱接着性を示すとともに熱硬化性としてあり、共重合ポリエステルに導電性付与材として銀粉末を分散し、さらに、硬化剤としてイソシアネートを適量添加して作製された導電性ペーストを使用している。この段階の導電性樹脂材料１７ａは、イソシアネートによる硬化反応が生じないように低温で乾燥されているために熱可塑性を保持している。イソシアネート硬化反応温度以上に加熱しつつ、加圧すれば電極３との熱融着することになり、この導電性樹脂材料５ｂによって電極３と端子部材５の間は電気的及び物理的に接合されることとなる。この場合、特に、電極３に導電性樹脂材料５ｂと同種の樹脂および同種の金属粉末を使用すると熱融着性は極めて良く、十分な熱融着強度および低接触抵抗が得られるようになる。
【００２０】
ここで、加工工程の順序としては、まず、ポリエチレンテレフタレート等の電気絶縁性基材２をロール状に作成したものに、銀ペーストの印刷・乾燥により一対の電極３を形成する。次に、電極３に重なるように高分子抵抗体インクを印刷・乾燥により高分子抵抗体４を形成し、電気絶縁性基材２上の高分子抵抗体４と電極３とこの電極３に給電する端子部材５を電極３上に仮置きするのと同時に電気絶縁性被覆材９を接着性樹脂層１０を介して覆った後、端子部材５の導電性樹脂材料５ｂと電極３を導電性樹脂材料５ｂの熱硬化反応とともに熱溶着した後、レーザー等で電気絶縁性被覆材９に開口部７を中心から偏心した位置に形成し端子部材５を露出させた後、開口部７にてリード線８を端子部材５と半田等による溶着によって接続し、開口部７近傍およびリード線８の取り付け部には、ホットメルトなどの絶縁性保護材１１を塗布する。
【００２１】
このように、電気絶縁性被覆材９を貼り付ける加工工程と端子部材５を電極３に仮置きする工程を同時に行うことで、端子部材５は電気絶縁性基材２と電気絶縁性被覆材９に挟まれ、移動や剥離することなく次工程をおこなうことができる。
【００２２】
端子部材５は電気絶縁性基材２と電極３および電気絶縁性被覆材９に挟まれ、かつ接着性樹脂層１０により一体とする構成となっているため、端子部材５と電極３との間に機械
的な固定をする構成となっており、電気用品安全法に準拠した高安全性の構成を実現することが可能となっている。
【００２３】
端子部材５を熱硬化反応とともに熱溶着する工法としては熱板で端子近傍全体に外部から熱を加える方法や誘導加熱や高周波溶着等で導電性の高い端子部材のみを加熱する方法などがある。
【００２４】
外部から加熱する場合、端子部材５は電気絶縁性基材２と電極３および電気絶縁性被覆材９に挟まれているため、電気絶縁性基材２または電気絶縁性被覆材９を介して熱板を押し当て加熱することとなる。また、電気絶縁性基材２や電気絶縁性被覆材９に例えばポリエチレンテレフタレートを用いた場合熱収縮開始温度は約１８０℃からであり、導電性樹脂材料５ｂのイソシアネート硬化反応温度約１５０℃から開始する。導電性樹脂材料５ｂを完全に熱硬化反応させるとともに熱溶着させ、かつ電気絶縁性基材２と電気絶縁性被覆材９を一定以上熱収縮と熱収縮にともなう変形をさせない条件としては電気絶縁性基材２、電極３、端子部材５、電気絶縁性被覆材９、接着性樹脂層１０のそれぞれの厚みにも依るが、熱板温度を１５０℃〜２５０℃程度とし、５秒〜３０分程度圧着する必要がある。
【００２５】
誘導加熱や高周波溶着等で端子部材５を直接加熱する方法もある。例えば、誘導加熱を行う場合、端子部材５に鉄などの磁性体を用いるか、高周波電流を発生させることが可能であれば銅などの非磁性だが導電性が比較的高い材質を用いることにより、交流電流により発生する磁界を端子部材５に印加すれば、端子部材５のみを加熱することができる。
【００２６】
端子部材５と端子部材５のごく近傍の電気絶縁性基材２や電気絶縁性被覆材９にだけ熱が伝わることとなり、電気絶縁性基材２や電気絶縁性被覆材９の熱収縮を抑制することができ、導電性樹脂材料５ｂと電極３との間に良好な接着状態を簡便に形成することができる。また、誘導加熱方式の場合、端子部材５のみを加熱するため温度上昇は非常に早く、導電性樹脂材料５ｂのイソシアネート硬化反応温度に短時間で達することが可能となり、生産性の向上にも寄与することとなる。
【００２７】
さらに、端子部材５およびリード線８の取り付け部には、ホットメルトなどの絶縁性保護材１１を塗布した構成としてあるので、開口部７およびリード線８の取り付け部から電極３及び電極３により給電される高分子抵抗体４が絶縁性保護材１１に保護され、外気と遮断されて構成されるようになり、湿気や異物による汚染劣化や、電極３のマイグレーションによるショートなどの不具合を防止でき、より性能の安定性や耐久性を向上させることができる。また、絶縁性保護材１１を塗布する際に、リード線８の引き出し方向を、製品において力が加わる可能性がある方向と別の方向とすることで、製品に力が加わった場合においても端子部材５に直接力が加わることが無くなり、端子部材５と電極３との間の剥離を抑制することができる。
【００２８】
また、印刷可能な電極３の材料はほとんど半田６接続が不可能であるが、導電性樹脂材料５ｂを介することによって端子部材５と電極３を面接合することができ、この端子部材５に半田６接続が可能となる。そして、上述の接続方法によれば、導電性樹脂材料５ｂは薄肉の面状に形成することによって接合抵抗値を極めて低くすることができるため、大電流を流すことができ、また、面状に接合することによって十分な強度を確保できるようになる。
【００２９】
従って、複雑な電極３パターンを描け、柔軟性にも優れる半面、半田６接続が不可能な場合が多い印刷によって形成された電極３であっても、半田６によってリード線８を形成することを可能にするものであり、生産性に極めて優れていると同時に、電気的にも物理的にも極めて強固な接合であり、高電流に耐え、高信頼性である。さらに、電源電圧が低
いために多くの電流が必要とされる場合や、速熱性を得るために大きな突入電流を必要とする正抵抗温度特性を有する発熱体を形成する場合には、極めて有用である。
【００３０】
さらに、簡便な品質管理状況において半田６は濡れ性の良好な開口部７内でのみ広がり、電気絶縁性被覆材９に覆われているため濡れ性の悪い開口部７の外側にはみ出ることは無い。
【００３１】
半田６を配設する際の熱により電気絶縁性基材２や電気絶縁性被覆材９、端子部材５、電極３はそれぞれ別々の温度係数で熱膨張・収縮し、熱溶着させた端子部材５と電極３との間の接着強度が小さくなることがある。特に、本実施の形態のように電気絶縁性基材２や電気絶縁性被覆材９にポリエチレンテレフタレート等の樹脂材料を用いた場合、金属である端子部材５ａと電気絶縁性基材２、電気絶縁性被覆材９との間の熱膨張率は大きく異なり、内部応力がかかるため、半田６の周辺の端子部材５と電極３との間の接着強度は小さくなることがある。しかしながら、開口部７は中心から端子部材５の中央から偏心して位置してあるため、半田６の作業による熱影響は開口部７周辺までとなり、開口部７から遠い側の導電性樹脂材料５ｂと電極３との間は前記、半田６の熱影響を受けることはなくなり、面状の十分な接着強度を保つことができる。
【００３２】
また、半田６を行う際には、半田６直下付近にのみ熱が加わるように、電気絶縁性基材２の下にはアルミ等熱伝導率の高い物質でできた均熱板を置き、電気絶縁性被覆材９の上には半田作業性を低下させない程度に端子部材５近傍を覆い、下に置いた均熱板と電気絶縁性基材２との間に高い密着性を付与するようにし、半田作業を行うことで半田６による端子部材５と電極３との接着状態への熱影響をより小さくすることができる。
【００３３】
（実施の形態２）
本実施の形態２は、開口部７の面積が実施の形態１と異なるもので、実施の形態１と同一図を用いて説明する。
【００３４】
すなわち、開口部７は中心から偏心した位置に端子部材５の電気絶縁性被覆材９に望む面の２分の１を超えない大きさとしてある。
【００３５】
開口部７を端子部材５の電気絶縁性被覆材９に望む面の２分の１を超えない大きさとすることで、半田６の広がりも端子部材５の電気絶縁性被覆材９に望む面の２分の１を超えない大きさとすることになり、実施の形態１に比べ半田６の熱影響を受ける導電性樹脂材料５ｂの面積が小さくなり、導電性樹脂材料５ｂの接着状態を安定に確保している面積が大きくなり、実施の形態１に比べ高信頼性の端子構成を付与することができ、かつ開口部７をレーザー等の除去手段で形成する際の位置精度の管理を簡便にすることができる。
【００３６】
端子部材５が１０ｍｍ×２０ｍｍの略長方形とした場合、開口部７の大きさとしては例えば一辺が６ｍｍ程度の正方形とし、半田こて先温度を約３７０℃とすることで半田６の作業性、導電性樹脂材料５ｂの接着性の確保を同時に実現できる。
【００３７】
（実施の形態３）
図３〜図４は、本発明の実施の形態３における面状発熱体の概略構成図を示し、特に図３は平面図、図４は図３における端子部近傍のＸ−Ｙ断面図である。
【００３８】
図３〜図４において、本実施の形態３は、開口部７の位置が実施の形態２と異なるもので、同一部分は同一番号を付して異なる部分のみを説明する。
【００３９】
すなわち、開口部７は中心から大きく偏心した位置にあり、端子部材５の電気絶縁性被
覆材９に望む面の２分の１を超えない大きさとし、端子部材の中心に開口部７が掛からない位置としたものである。これにより、半田接合位置が中心からずれているため、端子部材の中心部以遠の接着状態を確保することができる。
【００４０】
端子部材５の面積を大きくすればするほど端子部材５と電極３との間の接着強度は大きくなり接着の信頼性が増すが、同時に端子部材５を貼付する部分の電極３の面積も大きくする必要がある。これは限定された製品面積の中で高分子抵抗体４の面積を最大限にし、発熱面積を増加させ製品全体を均一に暖めることを提供するという製品本来の目的と相反することとなる。そこで開口部７を中心から大きく偏心した位置とし、端子部材５の電気絶縁性被覆材９に望む面の２分の１を超えない大きさとし、端子部材の中心に開口部７が掛からない位置とすることで、限られた端子部材５の面積においてリード線８によって端子部材５へ給電を行う部位と、端子部材５から電極３へ良好な接着状態によって給電を行う部位を品質管理上明確に分離することで端子部材５の面積を最小にし、かつ簡便な生産管理で高信頼性の給電方法を提供することが可能となる。具体的には端子部材５と電極３との間の接着状態の管理方法として端子部材５の開口部７を構成していない側の接着状態を管理するだけでよいこととなり、接着状態の測定が簡便となる。
【００４１】
例えば、端子部材５の形状として１０ｍｍ×２０ｍｍのような略長方形とし、開口部７を一辺が約６ｍｍの正方形とし、開口部の中心を端子部材５の長手方向の端部から５ｍｍの位置とすることで端子部材５の中心にかからない構成とし、半田こて先温度を約３７０℃とし半田６を形成することで開口部７近傍の端子部材５と電極３との間の接着状態が不安定となり得る部位を端子部材５の開口部７が構成される側の半分のみに限定することができる。
【００４２】
（実施の形態４）
図５は、本発明の実施の形態４における面状発熱体の概略平面図を示している。端子部近傍の断面図としては図２または図４と同様となっている。
【００４３】
図５において、本実施の形態４では、開口部７の形状が実施の形態１〜３と異なるもので、同一部分は同一番号を付して異なる部分のみを説明する。
【００４４】
開口部７の形状を円形、または楕円形とすることで、半田６の広がりを均一化し、半田６自身も円形または楕円形に近い形状となり、半田６を付ける際におこる電気絶縁性基材２や電気絶縁性被覆材９、端子部材５、電極３のそれぞれ熱膨張・収縮による応力分散を行うことができる。面状発熱体完成後としては開口部７の形状を円形、または楕円形とすることで万が一、リード線８による引張りによって端子部材５に直接力が加わる場合において、特に力が集中しやすい開口部７の端部への応力集中を緩和することができ、リード線８による引張りに対する信頼性をより向上させることができる。
【００４５】
（実施の形態５）
図６は、実施の形態５における本発明の実施の形態１で示した面状発熱体の概略構成図の平面図１の端子部近傍のＸ−Ｙ断面図であり、図７は実施の形態５における端子部材５を電極と接合される側から見た平面図である。
【００４６】
図６、図７において、本実施の形態５は、端子部材５の導電性樹脂材料５ｂに電極３と接触する面に粘着性材料５ｃを配設した点が実施の形態１〜４と異なるもので、同一部分は同一番号を付して異なる部分のみを説明する。
【００４７】
端子部材５の電極３の給電部分に接する面には導電性樹脂材料５ｂを印刷等で形成し、イソシアネート硬化剤が反応しない程度の温度で乾燥を行った後、導電性樹脂材料５ｂ上
に粘着性材料５ｃを部分的に印刷等で形成してある。
【００４８】
例えば、図７では１０ｍｍ×２０ｍｍのような略長方形の端子部材５の導電性樹脂材料５ｂに厚み３０μｍ程度の粘着性材料５ｃを直径１ｍｍで２４個全体に配置してある。図７の構成とすることにより、端子部材５を熱硬化反応とともに熱溶着する工程において、ある程度以上の圧力を印加することによって仮接着用の粘着性材料５ｃは熱と圧力によって薄くなり、また端子材料５自身も一部変形することとなり、粘着性材料５ｃの無い部分で導電性樹脂材料５ｂと電極３が接合することを可能としている。
【００４９】
導電性樹脂材料５ｂは電極３との電気的接続とともに強固な物理的接続を担うものであり、粘着性材料５ｃはその粘着力によって外装材により端子部材を完全に固定するまでの仮固定を行う機能を持つ。端子部材５の仮固定が行えることにより、端子部材５を電気絶縁性被覆材９により覆い物理的に固定するまでの間、端子部材５を電極３の所定の場所に固定することを容易に可能にする。粘着性材料５ｃによる仮固定のため、電気絶縁性被覆材９を絶縁性基材２に覆う際、端子部材５が電極３の所定の位置からずれることが無くなり簡便な生産管理で安定した位置決め精度を得ることが出来る。また、粘着性材料５ｃによる仮固定によって端子部材５は離型紙等に貼り付けておくことが可能となり、端子部材５の製造および保管を簡便に行うことが可能となる。
【００５０】
実施の形態５の構成をとることにより、十分な導電性樹脂材料５ｂと電極３との間の接着面積を確保しつつ、仮接着をおこなうことができる端子部材５を構成することが出来る。
【００５１】
なお、本実施の形態では粘着性材料５ｃを直径１ｍｍで２４個配置し、厚み３０μｍと仮定したが、粘着性材料５ｃの配置、面積、および厚みは本発明の目的を達成する範囲であればその構成はどのようなものであってもよい。
【００５２】
（実施の形態６）
図７は、実施の形態５における本発明の実施の形態１で示した面状発熱体の概略構成図の平面図１の端子部近傍のＸ−Ｙ断面図であり、図８は実施の形態５における端子部材５を電極と接合される側から見た平面図である。
【００５３】
図７、図８において、本実施の形態６は、端子部材５の導電性樹脂材料５ｂに電極３と接触する面に粘着性材料５ｃの配設パターンが実施の形態５と異なるもので、同一部分は同一番号を付して異なる部分のみを説明する。
【００５４】
例えば、図７、図８では１０ｍｍ×２０ｍｍのような略長方形の端子部材５の導電性樹脂材料５ｂに厚み３０μｍ程度の粘着性材料５ｃを直径１ｍｍで開口部７を配設しない側のみに１２個配置してある。
【００５５】
熱溶着、熱硬化後の導電性樹脂材料５ｂと電極３との間の接合強度は粘着性材料５ｃの粘着力と比較して接着強度が強い。粘着性材料５ｃが配設してある部分は導電性樹脂材料５ｂが電極３に対して露出しておらず、熱溶着、熱硬化後にも導電性樹脂材料５ｂと電極３とが溶着することができないため、強固な接着強度は得られない。
【００５６】
しかしながら、開口部７の直下近傍の導電性樹脂材料５ｂと電極３との間の接合強度はリード線８を端子部材５と接合するために半田６を配設する際に、その熱により電気絶縁性基材２や電気絶縁性被覆材９、端子部材５、電極３はそれぞれ別々の温度係数で熱膨張・収縮するため、熱溶着させた端子部材５と電極３との間の接着強度が小さくなることがある。そこで、本発明では開口部７の直下近傍の導電性樹脂材料５ｂと電極３との間の接
合強度は最終的には弱くなるものとし、開口部７の直下近傍には粘着性材料５ｃを多く配設してある。これにより、端子部材５は、開口部７の直下近傍の端子部材５の機能は電極３との仮接着とリード線８との接続を担う箇所とし、端子部材５の中で開口部７から離れている箇所で導電性樹脂材料５ｂと電極３との間の物理的な接合と電気的な接続を行う構成となる。
【００５７】
なお、本実施の形態では粘着性材料５ｃを直径１ｍｍで開口部７を配設する側に１２個配置し、厚み３０μｍと仮定したが、粘着性材料５ｃの配置、面積、および厚みは本発明の目的を達成する範囲であればその構成はどのようなものであってもよい。例えば、粘着性材料５ｃを開口部７を設ける箇所の直下全体に覆うような構成としてもよい。
【００５８】
なお、上記実施の形態１では、ロール状の電気絶縁性基材２上に電極３及び電極３により給電される高分子抵抗体４を印刷形成した加工工程で説明したが、これはシート状電気絶縁性基材２上に電極３及び電極３により給電される高分子抵抗体４を印刷形成または押し出し成形した加工工程でもよく、その他各部の構成、材料、工法も本発明の目的を達成する範囲であればその構成はどのようなものであってもよい。
【００５９】
また、端子部材５の形状として略長方形の形状を仮定したが、本発明の効果を損なわない形状であればどのような形状としてもよい。特に、例えば端子部材５の電気絶縁性電気絶縁性被覆材に望む面の中央部近傍で、開口部を有する箇所よりも細くくびれた形状とするか、複数の貫通穴を設けた形状など中心部での熱伝導を悪くする形状とすることで、半田６の熱影響をより緩和することが出来、本発明をより効果的に行うことも可能である。
【００６０】
また、本実施の形態では絶縁性保護材１１を塗布したが、絶縁が確保できるような条件化であれば配設しないことも可能である。
【産業上の利用可能性】
【００６１】
以上のように本発明にかかる面状発熱体は、電極と端子部材との接着状態が確保され、端子部材の剥離を防ぐことができるため、リード線に張力がかかる場合においても有用である。
【図面の簡単な説明】
【００６２】
【図１】実施の形態１、２における面状発熱体の模式図
【図２】実施の形態１、２における図１の端子部近傍のＸ−Ｙ断面模式図
【図３】実施の形態３における面状発熱体の模式図
【図４】実施の形態３における図３の端子部近傍のＸ−Ｙ断面模式図
【図５】実施の形態４における面状発熱体の模式図
【図６】実施の形態５における図１の端子部近傍のＸ−Ｙ断面模式図
【図７】実施の形態５における端子部材を電極と接合される側から見た模式図
【図８】実施の形態６における端子部材を電極と接合される側から見た模式図
【図９】（ａ）従来の発熱体の構成を示す平面図（ｂ）同発熱体端子部の断面図
【符号の説明】
【００６３】
１  面状発熱体
２  絶縁性基材
３  電極
４  高分子抵抗体
５  端子部材
６  半田
７  開口部
８  リード線
９  電気絶縁性被覆材
１０  接着性樹脂層
１１  絶縁性保護材
【図１】
2008103234.tif 000003
【図２】
2008103234.tif 000004
【図３】
2008103234.tif 000005
【図４】
2008103234.tif 000006
【図５】
2008103234.tif 000007
【図６】
2008103234.tif 000008
【図７】
2008103234.tif 000009
【図８】
2008103234.tif 000010
【図９】
2008103234.tif 000011